(57)【要約】【課題】  特殊な形式を有する入力輝度信号に対して、デジタル方式で黒伸張を適切に実行可能な映像処理装置を提供する。【解決手段】  デジタルデータとして供給される１表示映像分の入力輝度信号に基づき、黒領域を検出し、表示映像中の黒領域を除いた有効表示映像を黒伸張すべき領域として設定する黒伸張設定回路２１ａと、有効表示映像に対して黒伸張を行う黒伸張回路２２ａとを備える。【選択図】  図１
2006279340.tif 000002
【特許請求の範囲】
【請求項１】
デジタルデータとして供給される１表示映像分の入力輝度信号に基づき、黒領域を検出し、前記表示映像中の前記黒領域を除いた有効表示映像を黒伸張すべき領域として設定する黒伸張設定回路と、
前記有効表示映像に対して前記黒伸張を行う黒伸張回路
とを備えることを特徴とする映像処理装置。
【請求項２】
前記黒伸張設定回路は、前記入力輝度信号に基づき、判定レベル以下の輝度レベルを有する画素数をカウントし、カウント値に基づいて、前記表示映像の垂直又は水平方向の両端部に前記黒領域が存在するか判定することを特徴とする請求項１に記載の映像処理装置。
【請求項３】
前記黒伸張設定回路は、前記入力輝度信号に基づき、前記表示映像中の全画素の輝度レベルの分布を示す輝度ヒストグラムを作成して、前記輝度ヒストグラムに応じて前記黒領域を検出することを特徴とする請求項１に記載の映像処理装置。
【請求項４】
前記黒伸張設定回路は、前記輝度ヒストグラムの複数の階級における所定の階級に属する画素を前記黒領域として検出することを特徴とする請求項３に記載の映像処理装置。
【請求項５】
前記黒伸張回路は、前記表示映像中の全画素数に対する前記有効表示映像中の検出レベル以下の輝度レベルを有する画素数の比率を算出し、前記比率と基準比率とを比較し、比較結果に応じて前記黒伸張の黒伸張量を決定することを特徴とする請求項１〜４のいずれか１項に記載の映像処理装置。
【発明の詳細な説明】
【技術分野】
【０００１】
本発明は、入力輝度信号に対してデジタル方式で黒伸張を行う映像処理装置に関する。
【背景技術】
【０００２】
テレビジョン受像機等の映像処理装置に入力される映像信号は、輝度信号、色差信号、及び同期信号等から構成される。テレビジョン受像機等には、映像のコントラストを強調するための黒伸張を行う黒伸張回路が実装される。輝度信号に関しては、輝度レベルが低い場合には表示装置上に黒として表示され、輝度レベルが高い場合には表示装置上に白として表示される。黒伸張とは、一定の輝度レベル以下の入力輝度信号の輝度レベルを低下させる処理を意味する。アナログ方式を採用する黒伸張回路としては、平均映像レベル（ＡＰＬ）に応じて黒伸張を実行する手法が知られている（例えば、特許文献１参照。）。
【０００３】
近年、デジタル技術の発達に伴い、黒伸張回路のデジタル化が進んでいる。デジタル方式を採用する黒伸張回路においては、表示映像中の全画素数に対する黒レベルを有する画素数の比率に応じた黒伸張が行われる。また、デジタル方式を採用する黒伸張回路として、輝度ヒストグラムを生成し、表示映像が自然画及び非自然画のいずれであるかを輝度ヒストグラムから判定し、非自然画に対しては黒伸張を行わない手法が提案されている（例えば、特許文献２参照。）。
【０００４】
しかしながら、ＡＰＬを利用する手法及び輝度ヒストグラムを利用する手法のいずれにおいても、入力輝度信号が特殊な形式を有する場合、即ち表示映像中にサイドパネル又はレターボックス等が含まれる場合、適切な黒伸張を行うことができない。アナログ方式又はデジタル方式の黒伸張回路に関しては、元々黒レベルで表示していたサイドパネル又はレターボックス等が更に黒伸張されてしまう。特に、デジタル方式の黒伸張回路においては、表示映像中の全画素数に対する黒レベルを有する画素数の比率が誤検出されるために、黒伸張を適切に実行できない。このように、特殊な形式を有する入力輝度信号に対して、デジタル方式で黒伸張を適切に行うことが可能な映像処理装置の実現が望まれている。
【特許文献１】特開２０００−２６１６９３号公報
【特許文献２】特開２００４−２６１６９３号公報
【発明の開示】
【発明が解決しようとする課題】
【０００５】
本発明は、特殊な形式を有する入力輝度信号に対して、デジタル方式で黒伸張を適切に実行可能な映像処理装置を提供する。
【課題を解決するための手段】
【０００６】
本発明の一態様は、デジタルデータとして供給される１表示映像分の入力輝度信号に基づき、黒領域を検出し、表示映像中の黒領域を除いた有効表示映像を黒伸張すべき領域として設定する黒伸張設定回路と、有効表示映像に対して黒伸張を行う黒伸張回路とを備える映像処理装置であることを要旨とする。
【発明の効果】
【０００７】
本発明によれば、特殊な形式を有する入力輝度信号に対して、デジタル方式で黒伸張を適切に実行可能な映像処理装置を提供できる。
【発明を実施するための最良の形態】
【０００８】
次に、図面を参照して、本発明の第１及び第２実施形態を説明する。以下の第１及び第２実施形態における図面の記載において、同一又は類似の部分には同一又は類似の符号を付している。
【０００９】
（第１実施形態）
本発明の第１実施形態に係る映像処理装置は、図１に示すように、映像信号生成装置１、画質補正回路２ａ、小型演算装置（ＭＰＵ）２４ａ、マトリクス回路２５、及び表示装置３を備える。画質補正回路２ａは、黒伸張設定回路２１ａ、黒伸張回路２２ａ、及び制御回路２３ａを備える。黒伸張設定回路２１ａは、デジタルデータとして供給される１表示映像分の入力輝度信号に基づき、黒領域を検出し、表示映像中の黒領域を除いた有効表示映像を黒伸張すべき領域として設定する。ここで、「黒領域」とは、表示装置３上で黒い帯状に表示される無映像部分、例えばレターボックス映像又はサイドパネル映像等を意味する。黒伸張回路２２ａは、有効表示映像に対して黒伸張を行う。更に、制御回路２３ａは、黒伸張回路２２ａの黒伸張動作を制御する。尚、表示装置３としては、例えば液晶ディスプレイ・パネル（ＬＣＤ）又はプラズマ・ディスプレイ・パネル（ＰＤＰ）、ＳＥＤ（Surface-conduction Electron-emitter Display）・パネル等が利用できる。映像信号生成装置１としてはテレビジョン放送を受信する受信装置等が利用できる。受信装置は、例えば図示を省略するアンテナ、チューナ装置、アナログ／デジタル（Ａ／Ｄ）変換器、輝度信号Ｙ及び色信号Ｃを発生する映像発生装置、及び色信号Ｃを２つの色差信号に変換するカラーデコーダ等を備える。
【００１０】
また、黒伸張設定回路２１ａが表示映像中に黒領域が存在しないと判定した場合、黒伸張回路２２ａの黒伸張動作は以下の（１）〜（４）の手順で実行される。（１）入力輝度信号Ｙの輝度レベルと、検出レベルとを比較して、表示映像中の検出レベル以下の輝度レベルを有する画素数を検出する。一例として、図２においては、１水平走査線（１Ｈ）分の入力輝度信号Ｙの映像期間についての検出レベル以下の画素数はゼロである。（２）表示映像中の全画素数に対する検出レベル以下の画素数の比率（以下において、「黒画素率」という。）を算出する。（３）算出された黒画素率を予め設定された基準比率と比較し、比較結果に基づいて、黒伸張を行うか否か、及び黒伸張量（黒伸張利得）を決定する。（４）決定された黒伸張量に応じて、黒伸張の開始レベル以下の入力輝度信号Ｙの輝度レベルを低下させる。この結果、図２の破線に示すように、図２の実線に示す輝度信号Ｙの一部の輝度レベルが低下する。
【００１１】
一例として、検出レベルは、０〜３［ＩＲＥ］程度に設定される。基準比率は、例えば１表示映像中の全画素の１％〜１８％程度に設定される。黒伸張の開始レベルは、２５〜５５［ＩＲＥ］程度に設定される。黒伸張利得の最大利得は例えば１．５程度、即ち３［ｄＢ］程度である。
【００１２】
更に、黒伸張設定回路２１ａは、図１に示すように、コンパレータ２１１、カウンタ２１２、検出回路２１３、及び設定信号生成回路２１４を備える。コンパレータ２１１の入力は映像信号生成装置１及びＭＰＵ２４ａのそれぞれの出力に接続される。カウンタ２１２の入力はコンパレータ２１１の出力に接続される。検出回路２１３の入力はカウンタ２１２の出力に接続される。設定信号生成回路２１４の入力は検出回路２１３の出力に接続される。制御回路２３ａの入力は黒伸張回路２２ａの出力に接続される。黒伸張回路２２ａの入力は、映像信号生成装置１、設定信号生成回路２１４、及び制御回路２３ａのそれぞれの出力に接続される。コンパレータ２１１、カウンタ２１２、検出回路２１３、及び設定信号生成回路２１４のそれぞれの具体的な動作については後述する。
【００１３】
ＭＰＵ２４ａは、制御回路２３ａに対して、検出レベル、基準比率、及び開始レベルのそれぞれのデータを供給する。ＭＰＵ２４ａは、コンパレータ２１１に対して、判定レベルのデータを供給する。尚、ＭＰＵ２４ａには、検出レベル、基準比率、及び開始レベルの組み合わせを複数組記憶したテーブルが備えられる。制御回路２３ａは、ＭＰＵ２４ａから供給された検出レベル、基準比率、及び開始レベルのそれぞれのデータに基づいて黒伸張回路２２ａを制御する。尚、判定レベルと検出レベルとは、別個のデータとして設定される場合に限らず、同一のデータとすることが可能である。判定レベル及び検出レベルは、共に、黒レベルの検出という目的で使用されるためである。
【００１４】
また、映像信号生成装置１は、３対４のアスペクト比を有する表示装置３上に、９対１６のシネマサイズの映像を表示させる場合、図３に示すように、表示映像の垂直方向の両端部を黒領域とする。即ち、１垂直走査（１Ｖ）期間の最初の数十Ｈ期間及び最後の数十Ｈ期間をすべて黒レベルとする所謂レターボックス映像が挿入される。
【００１５】
図３に示す有効表示映像の輝度レベルが一定であると仮定すると、図３に示す表示映像に相当する入力輝度信号Ｙは、図４の実線に示すような波形となる。但し、図４に示す波形図においては、水平ブランキング期間及び垂直ブランキング期間の図示を省略している。図４の時刻ｔ０〜ｔ１及び時刻ｔ２〜ｔ３の期間がレターボックス映像に対応している。
【００１６】
更に、図３に示す表示映像の全体に対して黒伸張を実行する場合、図４の実線に示す入力輝度信号Ｙの１Ｖ期間における黒画素率は、レターボックス映像の黒レベルも検出されるために１５％程度であると判断される。基準比率が１８％である場合、図４の破線に示すように、３％分の黒画素率を補償するために、小さい黒伸張量（黒伸張利得）で入力輝度信号Ｙが黒伸張される。また、時刻ｔ０〜ｔ４の期間の入力輝度信号Ｙの輝度レベル全体が低下している。
【００１７】
これに対して黒伸張設定回路２１ａが有効表示映像を指定する場合、図５の実線に示す入力輝度信号Ｙの１Ｖ期間における黒画素率は、レターボックス映像を除いた有効表示映像の期間、即ち時刻ｔ１〜ｔ２の期間の黒レベルのみが検出されるために０％程度であると判断される。基準比率が１８％である場合、図５の破線に示すように１８％分の黒画素率を補償するように、大きい黒伸張量（黒伸張利得）で入力輝度信号Ｙが黒伸張される。また、黒伸張回路２２ａは、時刻ｔ１〜ｔ２の期間の入力輝度信号Ｙの輝度レベルのみを低下させる。
【００１８】
このように、有効表示映像に対してのみ黒伸張を実行することにより、レターボックス映像中の黒レベルが黒伸張回路２２ａにより検出されなくなり、有効表示映像中の輝度レベルのみを低下させるため、黒伸張回路２２ａを効果的に動作させることが可能となる。
【００１９】
例えば、レターボックス映像に関して、表示映像の全体に黒伸張を実行した場合、黒伸張後の表示映像が図６（ａ）に示すような映像であるとする。一方、表示映像の有効表示映像についてのみ黒伸張を実行した場合、黒伸張後の表示映像が図６（ｂ）に示すような映像となる。図６（ｂ）に示す表示映像は、図６（ａ）に示す表示映像よりも輝度レベルが十分に低下している。
【００２０】
更に、９対１６のアスペクト比を有する表示装置３上に、３対４の映像を表示させる場合、表示映像の水平方向の両端部が黒領域とされる。即ち、１表示映像分の各１Ｈ期間の最初の数十画素及び最後の数十画素をすべて黒レベルとする所謂サイドパネル形式が採用される。
【００２１】
例えば、サイドパネル映像に関して、表示映像の全体に黒伸張を実行した場合、黒伸張後の表示映像が図７（ａ）に示すような映像であるとする。一方、表示映像のサイドパネル映像を除く有効表示映像についてのみ黒伸張を実行した場合、黒伸張後の表示映像が図７（ｂ）に示すような映像となる。図７（ｂ）に示す表示映像は、図７（ａ）に示す表示映像よりも輝度レベルが十分に低下している。
【００２２】
次に、図８に示すフローチャートを参照して、第１実施形態に係る映像処理装置の動作を説明する。
【００２３】
（イ）ステップＳ１１において、図１に示すＭＰＵ２４ａは、コンパレータ２１１に対して判定レベルを設定し、制御回路２３ａに対して検出レベル、開始レベル、及び基準比率を設定する。判定レベルは、例えば０〜３［ＩＲＥ］程度に設定される。
【００２４】
（ロ）ステップＳ１２において、コンパレータ２１１は、入力輝度信号Ｙの輝度レベルを判定レベルと比較し、判定レベル以下の入力輝度信号Ｙを画素単位で検出する。但し、ＭＰＵ２４ａは、コンパレータ２１１が、水平ブランキング期間及び垂直ブランキング期間の入力輝度信号Ｙについては、判定レベル以下の入力輝度信号Ｙを検出しないように制御する。
【００２５】
（ハ）ステップＳ１３において、カウンタ２１２は、コンパレータ２１１が検出した判定レベル以下の入力輝度信号Ｙをカウントする。カウンタ２１２は、判定レベル以下の入力輝度信号Ｙをカウントアップして、カウント値を検出回路２１３に伝達する。また、カウンタ２１２は、例えば、判定レベル以下の入力輝度信号Ｙが途切れるタイミング、及び１Ｈ期間の切り替わりのタイミングでカウント値をリセットする。
【００２６】
（ニ）ステップＳ１４において、検出回路２１３は、カウンタ２１２のカウント値に基づいて、表示映像中に黒領域が含まれるか否か判定する。具体的には、１Ｖ期間の最初の数十Ｈ期間及び最後の数十Ｈ期間において、カウンタ２１２がカウントアップされる場合、レターボックス映像が検出される。１表示映像分の各１Ｈ期間の最初の数十画素及び最後の数十画素が、カウンタ２１２によりカウントアップされる場合、サイドパネル映像が検出される。表示映像中に黒領域が含まれると判定された場合、ステップＳ１５に進む。表示映像中に黒領域が含まれないと判定された場合、ステップＳ１６に進む。
【００２７】
（ホ）ステップＳ１５において、設定信号生成回路２１４は、黒伸張回路２２ａに対して、有効表示映像の範囲を示す範囲設定信号を供給する。検出回路２１３がレターボックス映像を検出した場合、設定信号生成回路２１４は、図６（ｂ）に示すように、垂直方向の範囲設定信号Ｓ１を図６（ａ）よりも縮小させる。これに対して検出回路２１３がサイドパネル映像を検出した場合、設定信号生成回路２１４は、図７（ｂ）に示すように、水平方向の範囲設定信号Ｓ２を図７（ａ）よりも縮小させる。
【００２８】
（ヘ）ステップＳ１６において、黒伸張回路２２ａは、設定信号生成回路２１４により供給された範囲設定信号Ｓ１及びＳ２に基づき、有効表示映像に対してのみ黒伸張を実行する。
【００２９】
このように、第１実施形態によれば、有効表示映像に対してのみ黒伸張を実行することにより、レターボックス映像及びサイドパネル映像を排除して黒画素率を算出することが可能となる。更に、有効表示映像について黒伸張の開始レベル以下の輝度レベルを低下させることができる。したがって、黒領域が含まれる場合においても、デジタル方式で黒伸張を適切に行うことが可能な映像処理装置を提供できる。
【００３０】
（第２実施形態）
本発明の第２実施形態に係る映像処理装置は図９に示すように、黒伸張設定回路２１ｂが、ヒストグラム作成回路２６を備える点が図１と異なる。ヒストグラム作成回路２６は、入力輝度信号Ｙに基づき、表示映像中の全画素の輝度レベルの分布を示す輝度ヒストグラムを作成し、輝度ヒストグラムに応じて黒領域を検出する。黒伸張回路２２ｂは、黒領域を除いた有効表示映像に対して黒伸張を実行する。
【００３１】
ヒストグラム作成回路２６は、映像信号生成装置１及びＭＰＵ２４ｂのそれぞれの出力に入力が接続され、黒伸張回路２２ｂ及び制御回路２３ｂのそれぞれの入力に出力が接続される。ヒストグラム作成回路２６は、例えば、図示を省略する複数のコンパレータ、及び複数のコンパレータのそれぞれに接続されたカウンタを備える。その他の構成については図１と同様である。
【００３２】
更に、ＭＰＵ２４ｂは、ヒストグラム作成回路２６に対して、図１０に示すように、輝度ヒストグラムの複数の区分点を設定する。図１０に示す例においては、０，３，２０，４０，６０，８０，及び１００［ＩＲＥ］が区分点として設定される。この結果、０［ＩＲＥ］以上、且つ３［ＩＲＥ］未満である第１階級、３［ＩＲＥ］以上、且つ２０［ＩＲＥ］未満である第２階級、２０［ＩＲＥ］以上、且つ４０［ＩＲＥ］未満である第３階級、４０［ＩＲＥ］以上、且つ６０［ＩＲＥ］未満である第４階級、６０［ＩＲＥ］以上、且つ８０［ＩＲＥ］未満である第５階級、８０［ＩＲＥ］以上、且つ１００［ＩＲＥ］未満である第６階級の合計６つの階級が設定される。
【００３３】
ヒストグラム作成回路２６は、図１０に示すように、入力輝度信号Ｙに基づいて、第１〜第６階級のそれぞれに対し、表示映像中の全画素数に対する各階級に属する画素数の比率を算出する。図１０に示す例においては、第１階級が１５％、第２階級が２５％、第３階級が３０％、第４階級が２０％、第５階級が１０％、及び第６階級が０％と算出される。黒伸張回路２２ｂは、最小値（０［ＩＲＥ］）を含む階級、即ち第１階級を除いた他の階級に対して黒伸張を実行する。例えば図１０においては、第２階級に対してのみ黒伸張が実行される。
【００３４】
更に、ヒストグラム作成回路２６は、第１階級を除く第２〜第６階級を区分する区分点、即ち３，２０，４０，６０，８０，及び１００［ＩＲＥ］から、黒伸張の開始レベル及び停止レベルを黒伸張回路２２ｂに設定する。図１０においては、２０［ＩＲＥ］が黒伸張の開始レベルに設定され、３［ＩＲＥ］が黒伸張の停止レベルに設定される。即ち、黒伸張回路２２ｂは、３［ＩＲＥ］未満の入力輝度信号Ｙ（画素）に対しては、輝度レベルを低下させない。この結果、例えば図５又は図６において、時刻ｔ０〜ｔ１及び時刻ｔ２〜ｔ３の期間の入力輝度信号Ｙについては、輝度レベルが維持される。
【００３５】
また、ＭＰＵ２４ｂは、ヒストグラム作成回路２６に設定された階級のいずれか１つ以上を指定して、制御回路２３ｂに基準比率を設定する。図１０においては、第２階級が指定され、基準比率が３０％であると仮定する。この場合、黒伸張回路２２ｂは、表示映像中の全画素数に対する第２階級に属する画素数の比率を基準比率と比較して、比較結果に応じて黒伸張量（黒伸張利得）を決定する。この結果、第２階級の黒画素率が２５％であるため、５％分の黒画素率を補償するように黒伸張量（黒伸張利得）が制御される。
【００３６】
したがって、第１階級に属する画素を黒画素率の算出に使用しないことにより、表示映像中にレターボックス映像又はサイドパネル映像が含まれる場合でも、レターボックス映像又はサイドパネル映像を除いた有効表示映像に対してのみ黒伸張を実行できる。
【００３７】
次に、図１１に示すフローチャートを参照して、第２実施形態に係る映像処理装置の動作を説明する。但し、第１実施形態に係る映像処理装置の動作と重複する動作については重複する説明を省略する。
【００３８】
（イ）ステップＳ２１において、図９に示すＭＰＵ２４ｂは、ヒストグラム作成回路２６に対して輝度ヒストグラムの複数の区分点を設定する。またＭＰＵ２４ｂは、複数の区分点により決定される複数の階級のうちの少なくとも１つの階級に対する基準比率を設定する。
【００３９】
（ロ）ステップＳ２２において、ヒストグラム作成回路２６は、最小値を含む階級を除いた他の階級を区分する区分点から黒伸張の開始レベル及び停止レベルを黒伸張回路２２ｂに設定する。
【００４０】
（ハ）ステップＳ２３において、ヒストグラム作成回路２６は、入力輝度信号Ｙの輝度レベルの分布を示す輝度ヒストグラムを作成する。
【００４１】
（ニ）ステップＳ２３において、黒伸張回路２２ｂは、輝度ヒストグラムを参照して黒伸張量を決定し、開始レベル及び停止レベル間の入力輝度信号Ｙの輝度レベルを低下させる。
【００４２】
このように、第２実施形態によれば、黒レベルを有する画素群については黒伸張を行わないので、レターボックス映像及びサイドパネル映像を排除して黒伸張を実行できる。したがって、黒領域が含まれる場合においても、デジタル方式で黒伸張を適切に行うことが可能な映像処理装置を提供できる。
【００４３】
（第２実施形態の変形例）
本発明の第２実施形態の変形例として図１２に示すように、図９に示した黒伸張回路２２ｂが、最小値（０［ＩＲＥ］）を含む階級、即ち第１階級を除いた他のすべての階級に対して黒伸張を実行しても良い。図１２に示す例においては、第２〜第６階級のそれぞれに対して個別に黒伸張量（黒伸張利得）が予め設定される。この場合、基準比率の設定、及び黒伸張の開始レベルの設定は不要である。したがって、黒伸張回路２２ｂに図１３に示すような特性を持たせることが可能となり、よりメリハリのある画質補正制御が可能となる。
【００４４】
（その他の実施形態）
上記のように、本発明は第１及び第２実施形態によって記載したが、この開示の一部をなす論述及び図面はこの発明を限定するものであると理解すべきではない。この開示から当業者には様々な代替実施形態、実施例及び運用技術が明らかとなろう。
【００４５】
上述した第１及び第２実施形態においては、映像信号生成装置１としてテレビジョン放送を受信する受信装置を例に説明したが、映像信号生成装置１として光ディスク再生装置又は、磁気式再生装置（ビデオテープレコーダ）、地上波デジタル放送、地上波アナログ放送、衛星デジタル放送、衛星アナログ放送、ケーブルＴＶデジタル放送、ケーブルＴＶアナログ放送を受信する受信装置等が使用できる。
【００４６】
更に、図１及び図９に示した画質補正回路２ａ及び２ｂは、単一の半導体チップ上にモノリシックに集積化し、又はマルチチップで実装し単一パッケージ化して半導体集積回路として構成可能である。
【００４７】
このように本発明は、ここでは記載していない様々な実施形態等を包含するということを理解すべきである。したがって、本発明はこの開示から妥当な特許請求の範囲の発明特定事項によってのみ限定されるものである。
【図面の簡単な説明】
【００４８】
【図１】本発明の第１実施形態に係る映像処理装置の構成例を示すブロック図である。
【図２】本発明の第１実施形態に係る映像処理装置における通常時の黒伸張動作を説明するための波形図である。
【図３】本発明の第１実施形態に係る黒伸張設定回路の機能を説明するための表示映像の模式図である。
【図４】本発明の第１実施形態に係る黒伸張回路の動作を説明するための比較例を示す波形図である。
【図５】本発明の第１実施形態に係る黒伸張回路の動作を説明するための波形図である。
【図６】図６（ａ）はレターボックスを有する表示映像の全体に対して黒伸張を行った場合の一例を示す模式図であり、図６（ｂ）はレターボックスを有する表示映像の有効表示映像に対してのみ黒伸張を行った場合の一例を示す模式図である。
【図７】図７（ａ）はサイドパネルを有する表示映像の全体に対して黒伸張を行った場合の一例を示す模式図であり、図７（ｂ）はサイドパネルを有する表示映像の有効表示映像に対してのみ黒伸張を行った場合の一例を示す模式図である。
【図８】本発明の第１実施形態に係る映像処理装置の動作を示すフローチャートである。
【図９】本発明の第２実施形態に係る映像処理装置の構成例を示すブロック図である。
【図１０】本発明の第２実施形態に係るヒストグラム作成回路の機能を説明する図である。
【図１１】本発明の第２実施形態に係る映像処理装置の動作を示すフローチャートである。
【図１２】本発明の第２実施形態の変形例に係るヒストグラム作成回路の機能を説明する図である。
【図１３】本発明の第２実施形態の変形例に係る黒伸張回路の動作を示す波形図である。
【符号の説明】
【００４９】
２１ａ，２１ｂ…黒伸張設定回路
２２ａ，２２ｂ…黒伸張回路
２６…ヒストグラム作成回路
【図１】
2006279340.tif 000003
【図２】
2006279340.tif 000004
【図３】
2006279340.tif 000005
【図４】
2006279340.tif 000006
【図５】
2006279340.tif 000007
【図６】
2006279340.tif 000008
【図７】
2006279340.tif 000009
【図８】
2006279340.tif 000010
【図９】
2006279340.tif 000011
【図１０】
2006279340.tif 000012
【図１１】
2006279340.tif 000013
【図１２】
2006279340.tif 000014
【図１３】
2006279340.tif 000015